(57)【要約】【課題】医療用長尺巻物に使用する台紙であって、巻物が使用しやすいように取り出すことができ、また、巻物の分離が簡単な医療用長尺巻物の台紙を提供する。【解決手段】台紙本体１１からなり、その台紙本体に医療用の長尺巻物を固定する三角形状に３つの固定部１２ａ、１２ｂ、１２ｃが形成され、巻物を台紙本体に固定したとき、巻物の一部が台紙本体から弓形状に突出する医療用長尺巻物の台紙１０。また、台紙１０は、固定部１２ａ、１２ｂ、１２ｃの中心付近に補助器具の固定部２１が設けられている。【選択図】図１
2008012196.tif 000002
【特許請求の範囲】
【請求項１】
医療用長尺巻物および補助器具の固定部が設けられた台紙。
【請求項２】
取っ手が設けられた請求項１記載の台紙。
【請求項３】
補助器具取出し用の穴が設けられた請求項１記載の台紙。
【請求項４】
医療用長尺巻物を固定したとき、医療用長尺巻物の一部が台紙から突出する形状を有する請求項１記載の台紙。
【請求項５】
ゲージが設けられた請求項１記載の台紙。
【請求項６】
請求項１記載の台紙と、その台紙に固定される医療用長尺巻物と、表面と裏面との周囲を固着することによって形成される前記台紙を収容する袋とからなり、
前記袋は、その周囲の一部が湾曲状に固着された湾曲部を備えており、
前記台紙は、その袋の湾曲部に対応した形状を有している、医療用長尺巻物包装セット。
【請求項７】
前記湾曲部の外周が、袋の表面と裏面とが分離している開封部となっている請求項６記載の医療用長尺巻物包装セット。
【発明の詳細な説明】
【技術分野】
【０００１】
本発明は、医療用長尺巻物を固定するための台紙および医療用長尺巻物包装セットに関する。
【背景技術】
【０００２】
【特許文献１】特表２００４−５３０４５４号公報
【特許文献２】特開２０００−２５５６２７号公報
【０００３】
従来、カテーテルやガイドワイヤなどの医療用長尺物は、そのまま長い台紙に固定し、袋に入れて、あるいは、保護用パイプに収容した長尺物を巻いて束ね、直接袋に入れて搬送されている。このように長尺物は包装されているため、長尺物を袋から一体にして取り出すことができ、現場において、例えば、長尺物の先端、後端等の認識、使用前における前処理、前加工などの操作が簡単にでき、迅速な医療活動ができる。
【０００４】
長尺物をそのまま長い台紙に固定した包装方法は、特許文献１、特許文献２に開示されている。このような包装方法を用いることにより、医療用長尺物を損傷させることなく、簡単に取り出すことができる。
【発明の開示】
【発明が解決しようとする課題】
【０００５】
一方、医療用長尺巻物は、それ自身がコンパクトになっており、そのまま袋に入れて搬送されるため、搬送中に袋内で回転したり、また、他の補助具との接触により損傷したりするおそれがある。また、他の補助具と共に入れると製品の取出しが煩雑になり、必ずしも迅速な医療活動に対応していなかった。
【０００６】
本発明は、上記の問題に鑑み、巻物を安定して保持すると共に、使用しやすいように取り出すことができ、しかも、巻物を台紙から簡単に分離できる医療用長尺巻物の台紙を提供することを目的とする。
【課題を解決するための手段】
【０００７】
本発明の医療用長尺巻物の台紙は、医療用長尺巻物および補助器具の固定部が設けられたことを特徴としている。ここで医療用長尺巻物とは、カテーテル、ガイドワイヤ等、および、それらを収容する保護用パイプが含まれる。
【０００８】
このような台紙であって、取っ手が設けられたもの、補助器具取出し用の穴が設けられたもの、医療用長尺巻物を固定したとき、医療用長尺巻物の一部が台紙から突出する形状を有するもの、ゲージが設けられたものが好ましい。
【０００９】
本発明の医療用長尺巻物包装セットは、本発明の台紙と、その台紙に固定される医療用長尺巻物と、表面と裏面との周囲を固着することによって形成される前記台紙を収容する袋とからなり、前記袋は、その周囲の一部が湾曲状に固着された湾曲部を備えており、前記台紙は、その袋の湾曲部に対応した形状を有していることを特徴としている。
また、このような医療用長尺巻物包装セットであって、前記袋が、前記湾曲部の外周で袋の表面と裏面とが分離している開封部を備えているものが好ましい。また、このように表面と裏面が分離した袋の先端がバラケないように留められているものが好ましい。
【発明の効果】
【００１０】
本発明の医療用長尺巻物用の台紙は、医療用長尺巻物の固定部が形成されているので、搬送・保管中は台紙と巻物が一体となっている。そのため安全に搬送・保管できる。そして、台紙と巻物の位置関係が固定されるため、長尺物の先端を認識し易く、迅速な医療活動に体操することができる。また、補助器具の固定部が設けられているため、１枚の台紙で巻物と補助器具を保持することができ、搬送中に両者がぶつかることがない。また、この台紙を袋から取り出すだけで、同時に補助器具も取り出すことができる。このような補助器具の固定部は台紙の中央近辺に設けられているのが好ましく、その場合、医療用長尺巻物の中心に位置するため、その取り付けが煩雑にならない。
【００１１】
本発明の台紙であって、取っ手が設けられている場合、その台紙を袋等から取り出すこと、および、台紙自体の取り扱いが容易である。また、補助器具取出し用の穴が設けられている場合、その補助器具の取り出しが容易である。さらに、医療用長尺巻物を固定したとき、医療用長尺巻物の一部が台紙から突出する形状を有する場合、その突出した長尺巻物の弓形状の部位を把持し、台紙本体に対して反対方向に巻物を引っ張るだけで、巻物を台紙から取り外すことができる。さらに、ゲージが設けられている場合、長尺巻物の前加工等をする際、さらなる部材を用意する必要がない。
【００１２】
本発明の医療用長尺巻物包装セットは、本発明の台紙と、その台紙に固定される長尺巻物と、表面と裏面との周囲を接着することによって形成される前記台紙を収容する袋とからなり、前記袋は、その周囲の一部が湾曲状に接着された湾曲部を備えており、前記台紙は、その袋の湾曲部に対応した形状を有しているため、台紙の外形と、袋の内形とが対応しており、搬送中でも台紙が袋内で回転しない。
このような包装セットであって、袋が、湾曲部の外周で袋の表面と裏面とが分離している開封部を備えている場合、袋の表面と裏面とを摘んで広げるだけで、袋を開封することができる。また、この開封部を袋の上端に形成することにより、袋を開封することにより台紙の上端が現れ、台紙に固定されている巻物の状態（先端等の位置）を認識しやすい。さらに、分離した表面と裏面とを袋の先端で止めることにより、搬送時に袋が開封したりしない。
【発明を実施するための最良の形態】
【００１３】
次に本発明の医療用長尺巻物の台紙およびそれを用いた包装セットを図面を用いて説明する。図１は、本発明の医療用長尺巻物の台紙の一実施形態を示す正面図、図２は、図１の台紙に巻物を固定したときを示す正面図、図３は、図１の台紙を用いた本発明の医療用長尺巻物包装セットの一実施形態を示す正面図、図４は、本発明の医療用長尺巻物の台紙の他の実施形態を示す正面図である。
【００１４】
図１に示す台紙１０は、一枚の台紙本体１１からなり、その台紙本体に医療用の長尺巻物を固定する３つの固定部１２ａ、１２ｂ、１２ｃが形成されている。台紙本体１１は、通常は紙、コーティング紙等で構成されるが、合成樹脂を用いた合成紙を用いることもできる。
【００１５】
台紙本体１１の外形は、底辺１４と、その底辺１４と垂直関係にある側辺１５ａ、１５ｂと、その底辺１４と側辺１５ａ、１５ｂとをそれぞれ連結する斜辺１６ａ、１６ｂと、一方の側辺１５ａの上端から弧を描くように上方に延びる円弧１７と、他方の側辺１５ｂと円弧状コーナー部１７の他端とを連結する大斜辺１８とからなる。ここで右下のコーナー部の斜辺１６ａは、左上の大斜辺１８と平行にするのが好ましい。それにより、大斜辺１８と右下の斜辺１６ａの間隔を幅寸法とする長尺シートから打ち抜いて台紙を形成することができる。
また、円弧状コーナー部１７からなる扇状の部位１７ａには、円状の切り抜きからなる取手１９が形成されている。さらに、台紙本体１１には、巻物のコネクター２２を固定する後端固定部２０と、フォーミングワイヤ２３を固定する補助器具の固定部２１とが形成されている。
【００１６】
３つの固定部１２ａ、１２ｂ、１２ｃは、台紙本体１１に特定の切り込みをいれて形成される一対のタブであり、三角形状に３つ形成されている。一つ目の固定部１２ａは、大斜辺１８の下端に隣接する部位に形成されており、それぞれの出口が大斜辺１８および底辺１４を向くように形成されている。二つ目の固定部１２ｂは、大斜辺１８の上部と側辺１５ａの上部との間に形成されており、それぞれの出口が大斜辺１８および側辺１５ａを向くように形成されている。三つ目の固定部１２ｃは、底辺１４と斜辺１６ａとの交点に隣接する部位に形成されている。
このように固定部１２ａ、１２ｂ、１２ｃは形成されているため、図２に示すように巻物Ａを３つの固定部１２ａ、１２ｂ、１２ｃに固定したとき、巻物Ａの一部が大斜辺１８から弓形に突出する。そのため、巻物Ａの突出している部位Ｂを掴むだけで、台紙１０から巻物Ａを簡単に取り外すことができる。さらに、固定した巻物Ａをしっかり保持することができ、外力を受けてもその巻物がたわんだりしにくい。
【００１７】
図１に戻って、後端固定部２０は、二つ目の固定部１２ｂと大斜辺１８との間に形成されており、巻物の後端に取り付けられたコネクター２２等を嵌め込むことができる２つのスリット２０ａ、２０ｂからなる。ここでコネクター２２は、その下端が巻物の端部と係合し、上端が連結部となっている本体２２ａと、本体の上部に形成される羽根２２ｂとを備えたものであり、羽根２２ｂは互いに逆方向に突出している。そして、両方の羽根２２を合わせた幅は、スリット２０ａの幅より大きく構成されている。そのため、このコネクター２２の後端固定部２０への取り付け法は、巻物Ａにとって手前に位置するスリット２０ａと２０ｂの間のツメ２０ｃを起こし、羽根２２ｂを備えた本体２２ａを台紙の裏側に配置させる。これにより台紙の表側に戻ろうとする本体２２ａを、台紙自身が羽根２２ｂを介して押さえ、台紙の表側にある巻物Ａの後端を動かないように固定する。そのため、このように後端固定部２０を備えている台紙１０は、取手１９の近辺に巻物Ａの後端が固定されるため、巻物Ａを取り外した後、次の作業への移行が容易である。
【００１８】
補助器具の固定部２１は、固定部１２ａ、１２ｂ、１２ｃの中心に形成されており、取出孔２１ａと、二本の器具取付スリット２１ｂ、２１ｃとからなる。このように形成されているため、フォーミングワイヤ２３は、その胴部を器具取付スリット２１ｂ、２１ｃに挿入し、フォーミングワイヤ２３の一端が取出孔２１ａに突出するようにして取り付けることができる（図２参照）。このとき、図２に示すようにフォーミングワイヤの一端２３ａを持ちやすいように取手にしてもよい。
このように補助器具の固定部２１を設けているため、搬送中にフォーミングワイヤ２３等の器具と巻物Ａとがぶつかることがない。さらに、フォーミングワイヤ２３等の器具を巻物と別々に取り出す必要がなく、それぞれの取り出しが簡単にできる。
【００１９】
図２に戻って、医療用長尺巻物Ａとしては、カテーテル、ガイドワイヤ、電極、電気関連長尺デバイス、血管内または消化器内用長尺デバイス、および、これらを収容する保護用パイプが挙げられる。また、これらの巻物Ａは、クリップ１３によって三箇所束ねられている。これにより、巻物Ａの撓みを一層防止することができる。
【００２０】
この台紙１０は、図３に示すように、台紙本体１１の左右の側辺１５ａ、１５ｂ間の幅に相当する幅、および、底辺１４と円弧状のコーナー部１７の上端を挿入できる高さの空間を備えた長方形の袋２５に収納することにより、医療用長尺巻物包装セット２４となる。この医療用長尺巻物包装セット２４は、巻物Ａを取り付けた台紙１０を回転させることなく搬送することができる。また、袋２５の上端の開封部２５ａを開封し、台紙の上部に形成された取手１９を摘むことにより、袋２５を開封後、台紙に取り付けられた巻物Ａを簡単に取り出すことができる。
【００２１】
袋２５は、ポリエチレンの不織布等からなる基材に、ポリエステル等からなる合成樹脂製の透明シートを、ヒートシールしたものである。不織布は細菌を通さず、ガスを通過させるものを用いる。不織布に代えてコート紙などの通気性シートを採用してもよい。図３において、斜線部はヒートシール部位である。また、袋の右上部分で台紙の円弧１７に該当する部位は、台紙の円弧１７と同様に円弧状にヒートシール（符号２６）されている。また、ヒートシール部位２６の外周である袋の右上の一角２７は、基材と、透明シートとが分離している。これにより、医療用巻物の使用者は、袋の一角２７から袋の上端を容易に開封することができる。そして、上端が開封された袋２５から取手１９を把持し、台紙１０を簡単に取り出すことができる。また、基材と透明シートが分離している２７の一角先端のみ、バラケ防止目的で１０×５ｍｍ程度の面積をヒートシールし、留めておいてもよい。
【００２２】
このような医療用長尺巻物包装セット２４は、次のようにして製造される。初めに台紙に巻物Ａを取り付ける。さらに、袋２５に巻物Ａを取り付けた台紙１０を入れ、袋２５の開口部をヒートシールする。最後にガス滅菌する。なお、最初にガス滅菌しても良い。袋２５には、図３における台紙底辺１４近傍の一辺以外の三辺をヒートシールしたものを用いる。
【００２３】
図４に示す台紙３０は、台紙の一部分にゲージ３１を設けたものである。このゲージ３１は、カテーテル等の先端をフォーミングワイヤで加工するときに用いるものである。このように、台紙３０にゲージ３１を設けることにより、袋２５内にゲージ３１に相当する分離した物品を入れる必要がなく、その取出しが容易である。ゲージ３１は左下のコーナー部の斜辺１６ｂなど、台紙の縁部に設けるのが好ましい。また、補助器具の固定部２１に平行して設けてもよい。
【図面の簡単な説明】
【００２４】
【図１】本発明の医療用長尺巻物の台紙の一実施形態を示す正面図である。
【図２】図１の台紙に巻物を固定したときを示す正面図である。
【図３】図１の台紙を用いた本発明の医療用長尺巻物包装セットの一実施形態を示す正面図である。
【図４】本発明の医療用長尺巻物の台紙の他の実施形態を示す正面図である。
【符号の説明】
【００２５】
１０  台紙
１１  台紙本体
１２ａ、１２ｂ、１２ｃ  固定部
１４  底辺
１５ａ、１５ｂ  側辺
１６ａ、１６ｂ  斜辺
１７  円弧
１７ａ  扇状の部位
１８  大斜辺
１９  取手
２０  後端取付部
２０ａ  ２０ｂ  スリット
２０ｃ  ツメ
２１  補助器具の固定部
２１ａ  取出孔
２１ｂ、ｃ  スリット
２２  コネクター
２２ａ  本体
２２ｂ  羽根
２３  フォーミングワイヤ
２３ａ  フォーミングワイヤの一端
２４  医療用長尺巻物包装セット
２５  袋
２５ａ  開封部
２６  ヒートシール部位
２７  袋の一角
２８  バラケ防止シール部
３０  台紙
３１  ゲージ
Ａ  巻物
Ｂ  弓形部
【図１】
2008012196.tif 000003
【図２】
2008012196.tif 000004
【図３】
2008012196.tif 000005
【図４】
2008012196.tif 000006